【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
本体部と、
前記本体部に取り付けられた２つの端部を有する第１アーチ状骨接触要素と、
前記本体部に取り付けられた２つの端部を有する第２アーチ状骨接触要素と
を含む、インプラント。
【請求項２】
前記第１アーチ状骨接触要素は、アーチ状部分および少なくとも１つのフレア状脚部を含む、請求項１に記載のインプラント。
【請求項３】
前記第１アーチ状骨接触要素は、湾曲中心軸を含み、前記第１アーチ状骨接触要素の断面積は、前記湾曲中心軸に沿って変化し、前記断面積は、前記アーチ状部分で最小である、請求項２に記載のインプラント。
【請求項４】
前記少なくとも１つのフレア状脚部は、前記本体部に取り付けられる第１部分と前記アーチ状部分に近位の第２部分とを含み、前記第１部分は、第１断面形状を有し、前記第２部分は、前記第１部分とは異なる第２断面形状を有する、請求項２または請求項３に記載のインプラント。
【請求項５】
前記第１断面形状は略楕円形であり、前記第２断面形状は略円形である、請求項４に記載のインプラント。
【請求項６】
前記第１アーチ状骨接触要素の前記少なくとも１つのフレア状脚部の前記第１部分は、前記インプラントの第１軸に沿って延びている前記本体部のセグメントに取り付けられており、前記第１部分の前記第１断面形状の最長寸法は、前記第１軸とほぼ整列されている、請求項４または請求項５に記載のインプラント。
【請求項７】
前記第１アーチ状骨接触要素は、隣接する椎骨に直接接触するように意図された遠位表面領域を含み、前記遠位表面領域は、前記アーチ状部分が前記フレア状脚部に隣接する領域である隣接表面領域とは異なる曲率を有する、請求項２に記載のインプラント。
【請求項８】
前記第１アーチ状骨接触要素は、粗面化表面領域を有する、請求項１〜請求項７のいずれかに記載のインプラント。
【請求項９】
各アーチ状骨接触要素は、骨の成長を前記インプラントの上側面または下側面から前記インプラントの内部領域に向けるように構成されている、請求項１〜請求項７のいずれかに記載のインプラント。
【請求項１０】
横軸を含む本体部と、
前記横軸に対して第１角度で方向付けられている第１アーチ状骨接触要素と、前記横軸に対して第２角度で方向付けられている第２アーチ状骨接触要素とを含み、
前記第１角度は前記第２角度とは異なる、
インプラント。
【請求項１１】
前記第１アーチ状骨接触要素および前記第２アーチ状骨接触要素は、前記本体部において第１のＶ字形構成で配置されている、請求項１０に記載のインプラント。
【請求項１２】
前記本体部は、後方側部および前方側部を有し、
前記本体部は、前記後方側部から前記前方側部に延びている第１軸を有し、前記第１軸は、前記本体部の第１外側側部と第２外側側部との間に延びている前記横軸に垂直であり、
第３アーチ状骨接触要素および第４アーチ状骨接触要素をさらに有し、前記第３アーチ状骨接触要素および第４アーチ状骨接触要素が、前記本体部において第２のＶ字形構成で配置され、
前記第１のＶ字形構成および前記第２のＶ字形構成は、前記横軸に沿って互いに異なる位置にある、
請求項１１に記載のインプラント。
【請求項１３】
前記本体部は、内部領域を境界付ける周辺構造を含み、前記本体部は前記内部領域を通って延びている支持ビームを含み、
前記第１のＶ字形構成は、前記インプラントの前記第１外側側部と前記支持ビームとの間に延びており、前記第２のＶ字形構成は、前記支持ビームと前記インプラントの前記第２外側側部との間に延びている、
請求項１２に記載のインプラント。
【請求項１４】
前記インプラントは、複数対のアーチ状骨接触要素を含み、前記複数対の各対は、Ｖ字形構成で配置されている、請求項１０に記載のインプラント。
【請求項１５】
前記本体部は、内部領域を境界付ける周辺構造を含み、前記本体部は、前記内部領域を通って延びている第１支持ビーム、第２支持ビームおよび第３支持ビームを含み、
前記複数のＶ字形構成のうちの２つのＶ字形構成は、前記第１支持ビームを中心とし、前記複数のＶ字形構成のうちの他の２つのＶ字形構成は、前記第３支持ビームを中心とし、前記複数のＶ字形構成のうちのすべてのＶ字形構成は、前記第２支持ビームと接触している、
請求項１４に記載のインプラント。
【請求項１６】
周辺構造と、第１支持ビームと、第２支持ビームとを含む本体部であって、
前記周辺構造が内部領域を境界付け、前記第１支持ビームおよび前記第２支持ビームが前記内部領域を通って延びている本体部と、
前記周辺構造から前記第１支持ビームに延びている第１アーチ状骨接触要素と、
前記第１支持ビームから前記第２支持ビームに延びている第２アーチ状骨接触要素と
を含む、インプラント。
【請求項１７】
前記第１支持ビームは、直線状ビームであり、前記第２支持ビームは、直線状ビームである、請求項１６に記載のインプラント。
【請求項１８】
前記インプラントは、第３アーチ状骨接触要素を含み、前記第３アーチ状骨接触要素は、第１端部および第２端部を含み、前記第１端部および前記第２端部が前記第１支持ビームに取り付けられている、請求項１６または請求項１７に記載のインプラント。
【請求項１９】
前記インプラントは、第３アーチ状骨接触要素を含み、前記第３アーチ状骨接触要素は、第１端部および第２端部を含み、前記第１端部および前記第２端部が前記周辺構造の外側側部に取り付けられている、請求項１６または請求項１７に記載のインプラント。
【請求項２０】
前記インプラントは、前記内部領域を通って延びる第３支持ビームを含み、前記第１支持ビーム、前記第２支持ビームおよび前記第３支持ビームが略同一平面上にある、請求項１６〜請求項１９のいずれかに記載のインプラント。
【請求項２１】
前記第１アーチ状骨接触要素は、凸状骨接触領域を含む、請求項１６に記載のインプラント。
【請求項２２】
前記第１アーチ状骨接触要素および前記第２アーチ状骨接触要素は、前記本体部においてＶ字形構成で配置されている、請求項１６に記載のインプラント。
【請求項２３】
前記周辺構造は、挿入デバイスに係合するための少なくとも１つの取り付け開口を含む、請求項１６に記載のインプラント。
【手続補正２】
【補正対象書類名】明細書
【補正対象項目名】００３４
【補正方法】変更
【補正の内容】
【００３４】
図４は、一切のアーチ状骨接触要素なしに単独で示される本体部１０２の模式的な上面図であり、図５は、任意のアーチ状骨接触要素から分離した本体部１０２の模式的な等角図である。図４〜図５を参照すると、周辺構造１５０はさらに、前方側部１５２、後方側部１５４、第１外側側部１５６および第２外側側部１５８で構成されている。図１〜図２に見られるように、この実施形態では、周辺構造１５０は、前方側部１５２が第１外側側部１５６に接続され、第１外側側部１５６が後方側部１５４に接続され、後方側部１５４が第２外側側部１５８に接続され、第２外側側部１５８が前方側部１５２に接続されるように連続した構造である。すなわち、前方側部１５２、第１外側側部１５６、後方側部１５４および第２外側側部１５８はともに、連続的または途切れのないリングを形成する。
【手続補正３】
【補正対象書類名】明細書
【補正対象項目名】００５８
【補正方法】変更
【補正の内容】
【００５８】
図６にもっともよく示されるように、インプラント１００は、第１前方部分１６０に配置された第１ねじ切り空洞３６０を含む。インプラント１００は、第２前方部分１６２内に配置された第２ねじ切り空洞３６２も含む。いくつかの実施形態では、第１ねじ切り空洞３６０は、埋め込みツール（図示せず）のねじ切り先端を受容する。このようなツールを、隣接する椎体間でインプラント１００をねじ込むために使用することができるであろう。任意選択的に、いくつかの場合では、インプラント１００はまた、埋め込みツールとインプラント１００との間の位置合わせを容易にする、くぼみの対（くぼみ３６５およびくぼみ３６７）を含んでもよい。いくつかの実施形態では、第２ねじ切り空洞３６２は、インプラント１００を、より広範な埋め込みシステムの別個の構成要素（図示せず）に締結するために使用することができるであろう。たとえば、いくつかの実施形態は、第１ねじ切り空洞３６０または第２ねじ切り空洞３６２内に固定された留め具を使用してインプラント１００に締結されてもよい、別個のプレートを組み込むことができるであろう。このようなプレートは、インプラントとともに使用することができるであろう、追加の固定部材（たとえばねじ）を含むことができるであろう。